(57)【要約】【課題】二倍速以上の速度で再生・伝送されたデータを、受信し、映像および音声を再生することができる受信再生装置、媒体及び情報集合体を提供する。【解決手段】インタフェースによって受信した伝送パケットからフレームデータを生成し、フレームデータから音声データを分離し、音声データから第一のサンプル数Ｍを取得し、再生速度がＮ倍速（Ｎは１以上の整数）の場合には、Ｌ＝Ｍ×ＮであるＬを第二のサンプル数として通知し、第二のサンプル数を基に前記音声データを再生する。【選択図】  図９
2004180233.tif 000002
【特許請求の範囲】
【請求項１】
圧縮映像データと音声データとを含むフレームデータを分割して構成される伝送パケットを受信するインタフェースと、
前記インタフェースが受信した前記伝送パケットから前記フレームデータを生成するフレームデータ生成手段と、
前記フレームデータ生成手段が生成した前記フレームデータから前記圧縮映像データと前記音声データに分離し出力し、前記音声データから第一のサンプル数Ｍを取得し、再生速度Ｎ倍速に応じて、Ｌ＝Ｍ×ＮであるＬを第二のサンプル数として通知する映像音声分離手段と、
前記映像音声分離手段が出力した前記圧縮映像データを映像データに伸長する映像伸長手段と、
前記映像伸長手段が伸長した前記映像データを表示する映像表示手段と、
前記映像音声分離手段が通知した前記第二のサンプル数Ｌに基づいて前記音声データを再生する音声再生手段とを備えることを特徴とする受信再生装置。
【請求項２】
前記フレームデータ生成手段は、前記フレームデータと共に再生時刻および表示時間を付加し、
前記映像音声分離手段は、前記フレームデータ生成手段が生成した前記フレームデータに付加されている前記再生時刻および前記表示時間とを、分離した前記圧縮映像データおよび前記音声データに付加し、
前記映像伸長手段は、前記映像音声分離手段が出力した前記圧縮映像データに付加されている前記再生時刻および前記表示時間とを、伸長した前記映像データに付加し、
前記映像表示手段は、前記再生時刻および前記表示時間とを基に前記映像データを表示することを特徴とする請求項１記載の受信再生装置。
【請求項３】
前記映像音声分離手段は、前記音声データから取得した音声チャンネル数と量子化ビット数とを通知し、
前記音声再生手段は、前記第二のサンプル数Ｌと前記音声チャンネル数と前記量子化ビット数に基づいて前記音声データを再生することを特徴とする請求項２記載の受信再生装置。
【請求項４】
前記フレームデータは、前記第一のサンプル数Ｌと前記音声チャンネル数と前記量子化ビット数とを含む音声付加データを含み、
前記映像音声分離手段は、前記音声付加データから前記第一のサンプル数Ｌと前記音声チャンネル数と前記量子化ビット数とを取得することを特徴とする請求項３記載の受信再生装置。
【請求項５】
前記インタフェースはＩＥＥＥ１３９４インタフェースであり、
前記伝送パケットはＩＥＣ６１８８３、ＳＭＰＴＥ−Ｄ７もしくはＳＭＰＴＥ−Ｄ１２で規定されるＣｏｍｍｏｎ  Ｉｓｏｃｈｒｏｎｏｕｓ  Ｐａｃｋｅｔであり、
前記圧縮映像データ、前記音声データおよび前記音声付加データは、ＩＥＣ６１８３４、ＳＭＰＴＥ−３１４ＭもしくはＳＭＰＴＥ−３７０Ｍで規定されるデータであることを特徴とする請求項４記載の受信再生装置。
【請求項６】
圧縮映像データと音声データとを含むフレームデータを分割して構成される伝送パケットを受信するインタフェースと、
前記インタフェースが受信した前記伝送パケットから前記フレームデータを生成するフレームデータ生成手段と、
前記フレームデータ生成手段が生成した前記フレームデータから前記圧縮映像データと前記音声データに分離し出力し、前記音声データから第一のサンプル数Ｍを取得し、再生速度Ｎ倍速に応じて、Ｌ＝Ｍ×ＮであるＬを第二のサンプル数として通知する映像音声分離手段と、
前記映像音声分離手段が出力した前記圧縮映像データのフレーム間引きを行う映像間引き手段と、
前記映像間引き手段によって間引きされた圧縮映像データを映像データに伸長する映像伸長手段と、
前記映像伸長手段が伸長した前記映像データを表示する映像表示手段と、
前記映像音声分離手段が通知した前記第二のサンプル数Ｌに基づいて前記音声データを再生する音声再生手段とを備えることを特徴とする受信再生装置。
【請求項７】
前記フレームデータ生成手段は、前記フレームデータと共に再生時刻および表示時間を付加し、
前記映像音声分離手段は、前記フレームデータ生成手段が生成した前記フレームデータに付加されている前記再生時刻および前記表示時間とを、分離した前記圧縮映像データおよび前記音声データに付加し、
前記映像間引き手段は、前記映像音声分離手段が出力した前記圧縮映像データに付加されている前記再生時刻および前記表示時間とを、間引き量に基づいて修正し、
前記映像伸長手段は、前記映像間引き手段が修正した再生時刻および表示時間とを、伸長した前記映像データに付加し、
前記映像表示手段は、前記映像伸長手段が付加した前記再生時刻および前記表示時間とを基に前記映像データを表示することを特徴とする請求項６記載の受信再生装置。
【請求項８】
前記映像音声分離手段は、前記音声データから取得した音声チャンネル数と量子化ビット数とを通知し、
前記音声再生手段は、前記第二のサンプル数Ｌと前記音声チャンネル数と前記量子化ビット数に基づいて前記音声データを再生することを特徴とする請求項７記載の受信再生装置。
【請求項９】
前記フレームデータは、前記第一のサンプル数Ｌと前記音声チャンネル数と前記量子化ビット数とを含む音声付加データを含み、
前記映像音声分離手段は、前記音声付加データから前記第一のサンプル数Ｌと前記音声チャンネル数と前記量子化ビット数とを取得することを特徴とする請求項８記載の受信再生装置。
【請求項１０】
前記インタフェースはＩＥＥＥ１３９４インタフェースであり、
前記伝送パケットはＩＥＣ６１８８３、ＳＭＰＴＥ−Ｄ７もしくはＳＭＰＴＥ−Ｄ１２で規定されるＣｏｍｍｏｎ  Ｉｓｏｃｈｒｏｎｏｕｓ  Ｐａｃｋｅｔであり、
前記圧縮映像データ、前記音声データおよび前記音声付加データは、ＩＥＣ６１８３４、ＳＭＰＴＥ−３１４ＭもしくはＳＭＰＴＥ−３７０Ｍで規定されるデータであることを特徴とする請求項９記載の受信再生装置。
【請求項１１】
圧縮映像データと音声データとを含むフレームデータを分割して構成される伝送パケットを受信するインタフェースと、
前記インタフェースが受信した前記伝送パケットから前記フレームデータを生成するフレームデータ生成手段と、
前記フレームデータ生成手段が生成した前記フレームデータから前記圧縮映像データと前記音声データに分離し出力し、前記音声データから第一のサンプル数Ｍを取得し、再生速度Ｎ倍速に応じて、Ｌ＝Ｍ×ＮであるＬを第二のサンプル数として通知する映像音声分離手段と、
前記映像音声分離手段が出力した前記圧縮映像信号を映像データに伸長する映像伸長手段と、
前記映像伸長手段が伸長した前記映像データのフレーム間引きを行う映像間引き手段と、
前記映像間引き手段が間引いた映像データを表示する映像表示手段と、
前記映像音声分離手段が通知した前記第二のサンプル数Ｌに基づいて前記音声データを再生する音声再生手段とを備えることを特徴とする受信再生装置。
【請求項１２】
前記フレームデータ生成手段は、前記フレームデータと共に再生時刻および表示時間を付加し、
前記映像音声分離手段は、前記フレームデータ生成手段が生成した前記フレームデータに付加されている前記再生時刻および前記表示時間とを、分離した前記圧縮映像データおよび前記音声データに付加し、
前記映像伸長手段は、前記映像音声分離手段が出力した前記圧縮映像データに付加されている前記再生時刻および前記表示時間とを、伸長した前記映像データに付加し、
前記映像間引き手段は、前記映像伸長手段が伸長した前記映像データに付加されている前記再生時刻および前記表示時間とを、間引き量に基づいて修正し、
前記映像表示手段は、前記映像間引き手段が修正した再生時刻および表示時間とを基に前記映像データを表示することを特徴とする請求項１１記載の受信再生装置。
【請求項１３】
前記映像音声分離手段は、前記音声データから取得した音声チャンネル数と量子化ビット数とを通知し、
前記音声再生手段は、前記第二のサンプル数Ｌと前記音声チャンネル数と前記量子化ビット数に基づいて前記音声データを再生することを特徴とする請求項１２記載の受信再生装置。
【請求項１４】
前記フレームデータは、前記第一のサンプル数Ｌと前記音声チャンネル数と前記量子化ビット数とを含む音声付加データを含み、
前記映像音声分離手段は、前記音声付加データから前記第一のサンプル数Ｌと前記音声チャンネル数と前記量子化ビット数とを取得することを特徴とする請求項１３記載の受信再生装置。
【請求項１５】
前記インタフェースはＩＥＥＥ１３９４インタフェースであり、
前記伝送パケットはＩＥＣ６１８８３、ＳＭＰＴＥ−Ｄ７もしくはＳＭＰＴＥ−Ｄ１２で規定されるＣｏｍｍｏｎ  Ｉｓｏｃｈｒｏｎｏｕｓ  Ｐａｃｋｅｔであり、
前記圧縮映像データ、前記音声データおよび前記音声付加データは、ＩＥＣ６１８３４、ＳＭＰＴＥ−３１４ＭもしくはＳＭＰＴＥ−３７０Ｍで規定されるデータであることを特徴とする請求項１４記載の受信再生装置。
【請求項１６】
請求項１〜１５のいずれかに記載の受信再生装置の全部または一部の手段の全部または一部の機能をコンピュータにより実行させるためのプログラム及び／またはデータを担持した媒体であって、コンピュータにより処理可能なことを特徴とする媒体。
【請求項１７】
請求項１〜１５のいずれかに記載の送信装置の全部または一部の手段の全部または一部の機能をコンピュータにより実行させるためのプログラム及び／またはデータであることを特徴とする情報集合体。
【発明の詳細な説明】
【０００１】
【発明の属する技術分野】
本発明は、業務用ＶＴＲなどから高速伝送された映像音声信号を受信し、再生する受信再生装置、媒体及び情報集合体に関するものである。
【０００２】
【従来の技術】
ＬＳＩ技術の向上に伴って映像情報や音声情報をディジタル化して伝送するネットワークが開発されつつある。映像信号や音声信号はリアルタイムで再生される必要があるため、リアルタイム伝送が可能なネットワークが必要となる。
【０００３】
このようなリアルタイム伝送に適したネットワークとしてＩＥＥＥ１３９４というネットワークがある。ＩＥＥＥ１３９４はシリアルの高速バスシステムで、データを同期伝送できるため、リアルタイム伝送が可能である。
【０００４】
ＩＥＥＥ１３９４は、衛星放送などからＭＰＥＧ２ＴＳデータを受信するＳｅｔ  Ｔｏｐ  Ｂｏｘ（ＳＴＢ）や、家庭用ディジタルＶＴＲ（ＤＶ）など、多くのディジタル映像音声機器に外部インタフェースとして搭載することができる。ＩＥＥＥ１３９４を用いてＤＶ形式のデータやＭＰＥＧ２ＴＳデータなどのＡＶデータを伝送するための規格としてＩＥＣ６１８８３が制定されている。
【０００５】
またＩＥＥＥ１３９４は、家庭用だけでなく、業務用のディジタルＶＴＲであるＤＶＣＰＲＯの外部インタフェースとしても用いられている。ＤＶＣＰＲＯで扱うＡＶデータは、ＤＶ形式であるＩＥＣ６１８３４規格、ＤＶ形式を基にしたＳＭＰＴＥ−３１４Ｍ規格（ＤＶＣＰＲＯ２５およびＤＶＣＰＲＯ５０）およびＳＭＰＴＥ−３７０Ｍ規格（ＤＶＣＰＲＯ１００）に準拠しており、またＩＥＥＥ１３９４上におけるＡＶデータの伝送プロトコルもＩＥＣ６１８８３もしくはＩＥＣ６１８８３を基にしたＳＭＰＴＥ−Ｄ７規格（ＤＶＣＰＲＯ２５、ＤＶＣＰＲＯ５０）もしくはＳＭＰＴＥ−Ｄ１２規格（ＤＶＣＰＲＯ１００）を用いている。
【０００６】
一方パーソナルコンピュータ（以下ＰＣと記述）においても、ＩＥＥＥ１３９４を標準で搭載しているものが増えてきており、ＤＶやＤＶＣＰＲＯを接続し、ＡＶデータの送受信を行うことが可能となっている。
【０００７】
またＰＣのＡＶ機能はますます強化されてきており、それとともにＯＳにもそうしたＡＶ機能を簡単に取り扱えるようにする機能が付加されている。Ｍｉｃｒｏｓｏｆｔ社のＷｉｎｄｏｗｓ（登録商標）ＯＳでは、ＰＣ上でＡＶ機能を取り扱うための環境として、ＤｉｒｅｃｔＳｈｏｗが用意されている。ＤｉｒｅｃｔＳｈｏｗにおいては、例えばファイルを読み出す、信号処理を行う、あるいは外部バスにデータを送信するといった単一もしくは複数の機能を持つフィルタと呼ばれるモジュールを組み合わせて、ある一連の動作を行うようになっている。またフィルタは必要に応じて自由に接続したり、取り外せるようになっている。
【０００８】
さて、ＤＶＣＰＲＯのデータを、ＩＥＥＥ１３９４上で伝送する場合のフォーマットについて、図１から図４を用いて説明する。
【０００９】
図１は、ＤＶＣＰＲＯのデータを伝送するアイソクロナスパケットの構成を示す図である。図１において、１０１はアイソクロナスパケット、１０２はアイソクロナスパケットヘッダ、１０３はヘッダＣＲＣ、１０４はＣＩＰヘッダ、１０５はペイロード、１０６はデータＣＲＣ、１０７はデータ領域である。
【００１０】
図２は、ＤＶＣＰＲＯのデータの伝送単位であるＤＩＦブロックの構成を示す図である。図２において、２０１はＤＩＦブロック、２０２はＤＩＦデータ、２０３はＤＩＦヘッダである。
【００１１】
図３は、一倍速再生時のＤＶＣＰＲＯのデータ伝送時におけるアイソクロナスパケット１０１の構成およびアイソクロナスパケット１０１の伝送を表す概念図である。図３において、３０１はエンプティパケットである。
【００１２】
図４は、二倍速再生時のＤＶＣＰＲＯのデータ伝送時におけるアイソクロナスパケット１０１の構成およびアイソクロナスパケット１０１の伝送を表す概念図である。
【００１３】
ＤＶＣＰＲＯのデータをＩＥＥＥ１３９４上で伝送するときには、アイソクロナス伝送を用いるようになっており、伝送に使用するアイソクロナスパケットは図１に示す構成になっている。すなわち、４バイトのアイソクロナスパケットヘッダ１０２、４バイトのヘッダＣＲＣ１０３、データ領域１０７および４バイトのデータＣＲＣ１０６で構成され、データ領域１０７には、８バイトのＣＩＰヘッダ１０４とペイロード１０５とが含まれている。伝送するデータはペイロード１０５に格納され、再生速度に合わせてペイロード１０５の大きさも変動する。
【００１４】
このペイロード１０５に格納されるデータは、図２のようなＤＩＦブロック２０１を単位として構成されている。ＤＩＦブロック２０１は、３バイトのＤＩＦヘッダ２０３と７７バイトのＤＩＦデータ２０２とで構成され、ＤＩＦデータ２０２に映像データや音声データ、付加情報などが含まれている。
【００１５】
ＤＶＣＰＲＯの通常再生時には、図３に示すようにペイロード１０５には６個のＤＩＦブロック２０１が含まれて伝送される。
【００１６】
ＩＥＥＥ１３９４のアイソクロナス伝送は、１２５μ秒に１個のアイソクロナスパケット１０１が伝送されるが、毎パケット６個のＤＩＦブロック２０１を伝送すると、１秒間に３８４００００バイトされる。これに対し、ＮＴＳＣ形式のデータの場合は１秒間に約３５９６４０４バイトで差があるため、データレートを調節するために、時々ＤＩＦブロック２０１を全く含まないエンプティパケット３０１が伝送されるようになっている。エンプティパケット３０１のデータ領域１０７には、ＣＩＰヘッダ１０４のみが含まれている。
【００１７】
さて、通常のＶＴＲの場合、高速再生をすると再生速度は上がるが、記録媒体から読みとれるデータ量は低下する。例えば再生速度が２倍になると、読みとれるデータ量は半分になり、実際に伝送されるデータ量は半分になってしまい、また１枚のフレームには２枚のフレームが混ざったデータとなる。ところが、倍速再生機能のあるＤＶＣＰＲＯは、２倍以上の速度で再生しても、全てのデータを読みとり、伝送することが可能となっている。その代わりに伝送レートは再生速度に比例し、例えば二倍速の場合には伝送レートも２倍になる。二倍速再生時には、図４に示すようにペイロード１０５には１２個のＤＩＦブロック２０１が含まれて伝送される。
【００１８】
もちろん１枚のフレーム分のデータが伝送されるためにかかる時間は半分になり、図３および図４に示すように、一倍速再生時に１枚のフレームを送る間に、二倍速再生時には２枚のフレームが伝送されることになる。
【００１９】
以上のようにして、ＤＶＣＰＲＯはＩＥＥＥ１３９４上にデータを送信する。
【００２０】
次に、ＤＶＣＰＲＯからデータを受信し、画面上で再生できるＰＣの一例について図５から図８を用いて説明する。
【００２１】
図５は、ＰＣの構成の一例である。図５において、５０１はＰＣ、５０２はＩＥＥＥ１３９４インタフェース、５０３はフレーム成形部、５０４は音声情報取得部、５０５はスプリッタ、５０６はビデオデコーダ、５０７は音声再生部、５０８は映像表示部、５０９はスピーカ、５１０はモニタ、５１１はＤＶＣＰＲＯデッキ、５１２はＩＥＥＥ１３９４バス、５１３はＤＶＣＰＲＯデータ、５１４は音声情報、５１５はＰＣＭ音声データ、５１６は圧縮映像データ、５１７はビットマップ映像データ、５１８はアナログ音声信号、５１９は映像信号である。この中で、フレーム成形部５０３、音声情報取得部５０４、スプリッタ５０５、ビデオデコーダ５０６、音声再生部５０７、映像表示部５０８は、ＤｉｒｅｃｔＳｈｏｗのフィルタ（モジュール）であり、ソフトウェアのみ、もしくはソフトウェアとハードウェアの組み合わせで実現されている。ただし、音声情報取得部５０４とスプリッタ５０５とは通常一つのフィルタとして構成される。
【００２２】
図６は、音声付加情報の構成を示す図である。
【００２３】
図７および図８は、ＤＶＣＰＲＯデータ５１３などに付加される時刻情報の一例で、図７は一倍速再生時、図８は二倍速再生時の時刻情報の例である。
【００２４】
ＤＶＣＰＲＯデッキ５１１から出力されたＤＶＣＰＲＯデータを含むアイソクロナスパケット１０１はＩＥＥＥ１３９４バス５１２を通って、ＩＥＥＥ１３９４インタフェース５０２で受信される。
【００２５】
ＩＥＥＥ１３９４インタフェース５０２は、受信したアイソクロナスパケット１０１からデータ領域１０７を取り出し、フレーム成形部５０３に出力する。
【００２６】
フレーム成形部５０３は、データ領域１０７からＤＩＦブロック２０１を取り出し、１フレーム分のデータごとに、ＤＶＣＰＲＯデータ５１３として出力する。
【００２７】
音声情報取得部５０４は、ＤＶＣＰＲＯデータ５１３に含まれる音声付加情報から、チャンネル数、サンプリング周波数量子化ビット数を取得し、音声情報５１４としてスプリッタ５０５に出力する。
【００２８】
スプリッタ５０５は、まず受け取ったＤＶＣＰＲＯデータ５１３に含まれるＰＣＭ音声データ５１５を取り出し、音声再生部５０７に出力する。同時に音声情報５１４も音声再生部５０７に出力する。
【００２９】
音声再生部５０７は、受け取った音声情報５１４を基に、ＰＣＭ音声データ５１５のＤＡ変換を行い、アナログ音声信号５１８としてスピーカ５０９に出力し、スピーカ５０９はアナログ音声信号５１８の再生を行う。
【００３０】
またスプリッタ５０５は、ＤＶＣＰＲＯデータ５１３をそのまま圧縮映像データ５１６としてビデオデコーダ５０６に出力する。
【００３１】
ビデオデコーダ５０６は、受け取った圧縮映像データ５１６から映像データ部分を取り出す。映像データ部分は圧縮されているので、これを伸長し、ＲＧＢ形式やＹＵＶ形式などのビットマップ映像データ５１７として映像表示部５０８に出力する。
【００３２】
映像表示部５０８は、受け取ったビットマップ映像データ５１７をＶＧＡ信号などの映像信号５１９に変換し、モニタ５１０に出力し、モニタ５１０は映像信号５１９の表示を行う。ビットマップ映像信号５１７に相当する映像信号５１９は、モニタ５１０全体に表示される場合や、一つのウィンドウに表示される場合もある。
【００３３】
ところで、映像と音声がバラバラに再生されると、映像と音声の再生同期がずれたり、映像表示タイミングにムラが発生するケースが少なくない。そこでＤｉｒｅｃｔＳｈｏｗのシステムでは、各フィルタ間を伝送されるデータに時刻情報を付加するようになっている。ＤＶＣＰＲＯデータの場合には、フレーム単位でデータが伝送されるが、各フレームごとに、表示すべき時刻（表示時刻）と、そのフレームが表示される期間（表示時間）とが付加される。例えば、ＮＴＳＣ形式のＤＶＣＰＲＯデッキ５１１が一倍速再生を行っている場合には、１秒間に約２９．９７フレームが再生されるため、１フレームあたりの表示時間は３３．３６６６・・・ミリ秒となる。ＤｉｒｅｃｔＳｈｏｗでは、先頭フレームの表示時刻を０とした相対時刻で再生時刻を表現し、時間は１００ナノ秒を単位としている。このため、ＮＴＳＣ形式のＤＶＣＰＲＯデッキ５１１が一倍速再生を行っているときの各フレームに付加される時刻情報は図７に示す値となる。
【００３４】
同様にＮＴＳＣ形式のＤＶＣＰＲＯデッキ５１１が二倍速再生を行っている場合には、１秒間に約５９．９４フレームが再生されるため、各フレームに付加される時刻情報は図８に示す値となる。
【００３５】
音声再生部５０７や映像表示部５０８は、これらの時刻情報を基に再生や表示を行うため、映像と音声の同期をとったり、できるだけスムースな映像表示を行えるようになっている。
【００３６】
以上のようにして、ＰＣの画面上でＤＶＣＰＲＯから取り込んだデータを再生表示することが可能となる。
【００３７】
また、ミニディスク（ＭＤ）などの記録媒体において、全てのデータを高速で再生・伝送・記録を行い、ダビング時間を短縮できるようにするための装置および方法が、例えば特許文献１や特許文献２などに記載されている。しかしこれらの装置・方法では、高速で伝送されたデータを高速で記録媒体に記録するためのものであり、全てのデータを高速で再生することはできなかった。
【００３８】
【特許文献１】
特開平０５−１０１６１４号公報
【特許文献２】
特開平０７−２２０３９２号公報
【００３９】
【発明が解決しようとする課題】
ＤＶＣＰＲＯが一倍速再生を行っている場合には、上記で説明したように、図５に示すようなＰＣで映像および音声を正しく再生・表示させることができる。しかし二倍速再生を行っている場合には、以下のような問題点が生じる。
【００４０】
前述のように、二倍速再生を行っているときには、１秒間に約５９．９４フレームが再生されるため、各フレームの表示時間は１６．６８３３ミリ秒ないし１６．６８３４ミリ秒となる。映像の表示は、ＰＣ５０１の性能が十分高速であれば、１秒間に約５９．９４フレーム分のデータを全て伸長し、表示することが可能である。
【００４１】
これに対し、音声再生部５０７は、チャンネル数やサンプリング周波数などが含まれている音声情報５１４を基に再生を行っている。もちろんこれらの音声情報５１４は、通常再生時の値が記載されており、例えばＤＶＣＰＲＯデッキ５１１で記録もしくは再生されているデータのサンプリング周波数が４８ｋＨｚであれば、音声情報５１４に含まれているサンプリング周波数は、再生速度が一倍速であろうと二倍速であろうと、いつでも４８ｋＨｚになっている。ところが実際に音声再生部５０７が受け取る音声データ５１５には、１秒間に９６０００音素が含まれているため、音声再生時に不整合が発生し、正しく音声を再生できないという問題点があった。
【００４２】
本発明は、このような従来の問題点を鑑みてなされたものであって、ＤＶＣＰＲＯから二倍速以上の速度で再生・伝送されたデータを、受信し、映像および音声を再生することのできる受信再生装置、媒体及び情報集合体を提供することを目的とするものである。
【００４３】
【課題を解決するための手段】
上述した課題を解決するために、第１の発明は、圧縮映像データと音声データとを含むフレームデータを分割して構成される伝送パケットを受信するインタフェースと、前記インタフェースが受信した前記伝送パケットから前記フレームデータを生成するフレームデータ生成手段と、前記フレームデータ生成手段が生成した前記フレームデータから前記圧縮映像データと前記音声データに分離し出力し、前記音声データから第一のサンプル数Ｍを取得し、再生速度Ｎ倍速に応じて、Ｌ＝Ｍ×ＮであるＬを第二のサンプル数として通知する映像音声分離手段と、前記映像音声分離手段が出力した前記圧縮映像データを映像データに伸長する映像伸長手段と、前記映像伸長手段が伸長した前記映像データを表示する映像表示手段と、前記映像音声分離手段が通知した前記第二のサンプル数Ｌに基づいて前記音声データを再生する音声再生手段とを備えることを特徴とする受信再生装置である。
【００４４】
第２の発明は、前記フレームデータ生成手段は、前記フレームデータと共に再生時刻および表示時間を付加し、前記映像音声分離手段は、前記フレームデータ生成手段が生成した前記フレームデータに付加されている前記再生時刻および前記表示時間とを、分離した前記圧縮映像データおよび前記音声データに付加し、前記映像伸長手段は、前記映像音声分離手段が出力した前記圧縮映像データに付加されている前記再生時刻および前記表示時間とを、伸長した前記映像データに付加し、前記映像表示手段は、前記再生時刻および前記表示時間とを基に前記映像データを表示することを特徴とする第１の発明記載の受信再生装置である。
【００４５】
第３の発明は、前記映像音声分離手段は、前記音声データから取得した音声チャンネル数と量子化ビット数とを通知し、前記音声再生手段は、前記第二のサンプル数Ｌと前記音声チャンネル数と前記量子化ビット数に基づいて前記音声データを再生することを特徴とする第２の発明記載の受信再生装置である。
【００４６】
第４の発明は、前記フレームデータは、前記第一のサンプル数Ｌと前記音声チャンネル数と前記量子化ビット数とを含む音声付加データを含み、前記映像音声分離手段は、前記音声付加データから前記第一のサンプル数Ｌと前記音声チャンネル数と前記量子化ビット数とを取得することを特徴とする第３の発明記載の受信再生装置である。
【００４７】
第５の発明は、前記インタフェースはＩＥＥＥ１３９４インタフェースであり、前記伝送パケットはＩＥＣ６１８８３、ＳＭＰＴＥ−Ｄ７もしくはＳＭＰＴＥ−Ｄ１２で規定されるＣｏｍｍｏｎ  Ｉｓｏｃｈｒｏｎｏｕｓ  Ｐａｃｋｅｔであり、前記圧縮映像データ、前記音声データおよび前記音声付加データは、ＩＥＣ６１８３４、ＳＭＰＴＥ−３１４ＭもしくはＳＭＰＴＥ−３７０Ｍで規定されるデータであることを特徴とする第４の発明記載の受信再生装置である。
【００４８】
第６の発明は、圧縮映像データと音声データとを含むフレームデータを分割して構成される伝送パケットを受信するインタフェースと、前記インタフェースが受信した前記伝送パケットから前記フレームデータを生成するフレームデータ生成手段と、前記フレームデータ生成手段が生成した前記フレームデータから前記圧縮映像データと前記音声データに分離し出力し、前記音声データから第一のサンプル数Ｍを取得し、再生速度Ｎ倍速に応じて、Ｌ＝Ｍ×ＮであるＬを第二のサンプル数として通知する映像音声分離手段と、前記映像音声分離手段が出力した前記圧縮映像データのフレーム間引きを行う映像間引き手段と、前記映像間引き手段によって間引きされた圧縮映像データを映像データに伸長する映像伸長手段と、前記映像伸長手段が伸長した前記映像データを表示する映像表示手段と、前記映像音声分離手段が通知した前記第二のサンプル数Ｌに基づいて前記音声データを再生する音声再生手段とを備えることを特徴とする受信再生装置である。
【００４９】
第７の発明は、前記フレームデータ生成手段は、前記フレームデータと共に再生時刻および表示時間を付加し、前記映像音声分離手段は、前記フレームデータ生成手段が生成した前記フレームデータに付加されている前記再生時刻および前記表示時間とを、分離した前記圧縮映像データおよび前記音声データに付加し、前記映像間引き手段は、前記映像音声分離手段が出力した前記圧縮映像データに付加されている前記再生時刻および前記表示時間とを、間引き量に基づいて修正し、前記映像伸長手段は、前記映像間引き手段が修正した再生時刻および表示時間とを、伸長した前記映像データに付加し、前記映像表示手段は、前記映像伸長手段が付加した前記再生時刻および前記表示時間とを基に前記映像データを表示することを特徴とする第６の発明記載の受信再生装置である。
【００５０】
第８の発明は、前記映像音声分離手段は、前記音声データから取得した音声チャンネル数と量子化ビット数とを通知し、前記音声再生手段は、前記第二のサンプル数Ｌと前記音声チャンネル数と前記量子化ビット数に基づいて前記音声データを再生することを特徴とする第７の発明記載の受信再生装置である。
【００５１】
第９の発明は、前記フレームデータは、前記第一のサンプル数Ｌと前記音声チャンネル数と前記量子化ビット数とを含む音声付加データを含み、前記映像音声分離手段は、前記音声付加データから前記第一のサンプル数Ｌと前記音声チャンネル数と前記量子化ビット数とを取得することを特徴とする第８の発明記載の受信再生装置である。
【００５２】
第１０の発明は、前記インタフェースはＩＥＥＥ１３９４インタフェースであり、前記伝送パケットはＩＥＣ６１８８３、ＳＭＰＴＥ−Ｄ７もしくはＳＭＰＴＥ−Ｄ１２で規定されるＣｏｍｍｏｎ  Ｉｓｏｃｈｒｏｎｏｕｓ  Ｐａｃｋｅｔであり、前記圧縮映像データ、前記音声データおよび前記音声付加データは、ＩＥＣ６１８３４、ＳＭＰＴＥ−３１４ＭもしくはＳＭＰＴＥ−３７０Ｍで規定されるデータであることを特徴とする第９の発明記載の受信再生装置である。
【００５３】
第１１の発明は、圧縮映像データと音声データとを含むフレームデータを分割して構成される伝送パケットを受信するインタフェースと、前記インタフェースが受信した前記伝送パケットから前記フレームデータを生成するフレームデータ生成手段と、前記フレームデータ生成手段が生成した前記フレームデータから前記圧縮映像データと前記音声データに分離し出力し、前記音声データから第一のサンプル数Ｍを取得し、再生速度Ｎ倍速に応じて、Ｌ＝Ｍ×ＮであるＬを第二のサンプル数として通知する映像音声分離手段と、前記映像音声分離手段が出力した前記圧縮映像信号を映像データに伸長する映像伸長手段と、前記映像伸長手段が伸長した前記映像データのフレーム間引きを行う映像間引き手段と、前記映像間引き手段が間引いた映像データを表示する映像表示手段と、前記映像音声分離手段が通知した前記第二のサンプル数Ｌに基づいて前記音声データを再生する音声再生手段とを備えることを特徴とする受信再生装置である。
【００５４】
第１２の発明は、前記フレームデータ生成手段は、前記フレームデータと共に再生時刻および表示時間を付加し、前記映像音声分離手段は、前記フレームデータ生成手段が生成した前記フレームデータに付加されている前記再生時刻および前記表示時間とを、分離した前記圧縮映像データおよび前記音声データに付加し、前記映像伸長手段は、前記映像音声分離手段が出力した前記圧縮映像データに付加されている前記再生時刻および前記表示時間とを、伸長した前記映像データに付加し、前記映像間引き手段は、前記映像伸長手段が伸長した前記映像データに付加されている前記再生時刻および前記表示時間とを、間引き量に基づいて修正し、前記映像表示手段は、前記映像間引き手段が修正した再生時刻および表示時間とを基に前記映像データを表示することを特徴とする第１１の発明記載の受信再生装置である。
【００５５】
第１３の発明は、前記映像音声分離手段は、前記音声データから取得した音声チャンネル数と量子化ビット数とを通知し、前記音声再生手段は、前記第二のサンプル数Ｌと前記音声チャンネル数と前記量子化ビット数に基づいて前記音声データを再生することを特徴とする第１２の発明記載の受信再生装置である。
【００５６】
第１４の発明は、前記フレームデータは、前記第一のサンプル数Ｌと前記音声チャンネル数と前記量子化ビット数とを含む音声付加データを含み、前記映像音声分離手段は、前記音声付加データから前記第一のサンプル数Ｌと前記音声チャンネル数と前記量子化ビット数とを取得することを特徴とする第１３の発明記載の受信再生装置である。
【００５７】
第１５の発明は、前記インタフェースはＩＥＥＥ１３９４インタフェースであり、前記伝送パケットはＩＥＣ６１８８３、ＳＭＰＴＥ−Ｄ７もしくはＳＭＰＴＥ−Ｄ１２で規定されるＣｏｍｍｏｎ  Ｉｓｏｃｈｒｏｎｏｕｓ  Ｐａｃｋｅｔであり、前記圧縮映像データ、前記音声データおよび前記音声付加データは、ＩＥＣ６１８３４、ＳＭＰＴＥ−３１４ＭもしくはＳＭＰＴＥ−３７０Ｍで規定されるデータであることを特徴とする第１４の発明記載の受信再生装置である。
【００５８】
第１６の発明は、第１の発明〜第１５の発明のいずれかに記載の受信再生装置の全部または一部の手段の全部または一部の機能をコンピュータにより実行させるためのプログラム及び／またはデータを担持した媒体であって、コンピュータにより処理可能なことを特徴とする媒体である。
【００５９】
第１７の発明は、第１の発明〜第１５の発明のいずれかに記載の送信装置の全部または一部の手段の全部または一部の機能をコンピュータにより実行させるためのプログラム及び／またはデータであることを特徴とする情報集合体である。
【００６０】
【発明の実施の形態】
以下に、本発明の実施の形態を図面を参照して説明する。
【００６１】
（第１の実施の形態）
以下、本発明の第１の実施の形態について、図９を用いて説明する。
【００６２】
図９は、ＰＣの構成の一例である。図９において、９０１はＰＣ、９０２は音声情報変換部、９０３は速度情報、５１４ａおよび５１４ｂは音声情報である。
【００６３】
図５と同じ番号を付したものの動作は、従来の技術で説明したＰＣの動作と同様である。
【００６４】
音声情報変換部９０２は、速度情報９０３により、ＤＶＣＰＲＯデッキ５１１の再生速度を取得する。このときの再生速度をＮ（Ｎ≧１）、音声情報５１４ａに含まれるサンプリング周波数をｆとしたとき、Ｆ＝Ｎ×ｆであるＦを音声情報５１４ｂのサンプリング周波数として、スプリッタ５０５に音声情報５１４ｂを出力する。例えば二倍速再生の場合には、音声情報５１４ａに含まれるサンプリング周波数が４８ｋＨｚであったとすると、音声情報５１４ｂにはサンプリング周波数として９６ｋＨｚを記載する。
【００６５】
チャンネル数などサンプリング周波数以外の音声情報は、音声情報５１４ａに記載されている値をそのまま音声情報５１４ｂに記載する。
【００６６】
音声再生部５０７に伝送される音声データ５１５は、二倍速再生時には前述のように１秒間に９６０００音素であるため、音声情報５１４ｂと一致するため、音声再生部５０７は受け取ったデータを正しく再生できる。ただしこのときの再生音声は、二倍速で再生されることになる。
【００６７】
以上のようにして、ＤＶＣＰＲＯデッキ５１１が二倍速以上で再生しても、ＰＣ９０１上で映像および音声を正しく再生することが可能となる。
【００６８】
なお、ＤＶＣＰＲＯデータは、ＮＴＳＣ形式ではなく、ＰＡＬ形式であっても構わない。この場合には、１秒間に２５フレームが再生されるため、１フレームあたりの表示時間は、一倍速再生では４０ミリ秒、二倍速再生では２０ミリ秒となる。
【００６９】
また、データの送信元はＤＶＣＰＲＯでなくても構わず、ＤＶデータやＤＶＣＰＲＯデータの再生・出力が可能で、かつ全てのデータを高速で再生・出力できる機器であってもよい。
【００７０】
またデータ伝送用のインタフェースは、ＩＥＥＥ１３９４インタフェース以外の別のインタフェースであっても構わない。
【００７１】
さらに、本発明の受信再生装置の全部または一部の手段の全部または一部の機能をコンピュータにより実行させるためのプログラム及び／またはデータを担持した媒体であって、コンピュータにより処理可能なことを特徴とする媒体も本発明に属する。
【００７２】
さらに、本発明の受信再生装置の全部または一部の手段の全部または一部の機能をコンピュータにより実行させるためのプログラム及び／またはデータであることを特徴とする情報集合体も本発明に属する。
【００７３】
（第２の実施の形態）
以下、本発明の第１の実施の形態におけるＰＣにおいて、フレーム間引きを行えるようにした例を、本発明の第２の実施の形態として、図１０及び図１１を用いて説明する。
【００７４】
図１０は、ＰＣの構成の一例である。図１０において、１００１はフレーム間引き部、１００２は間引き後の圧縮映像データである。
【００７５】
図５および図９と同じ番号を付したものの動作は、従来の技術および第１の実施の形態で説明したＰＣの動作と同様である。
【００７６】
図１１は、フレーム間引き部１００１が出力する圧縮映像データ１００２に付加する時刻情報の一例である。
【００７７】
フレーム間引き部１００１は、スプリッタ５０５から受け取った圧縮映像データ５１６のフレーム間引きを行い、圧縮映像データ１００２としてビデオデコーダ５０６に出力する。その際に、圧縮映像データ１００２に付加する時刻情報を変更する。
【００７８】
例えば、図１１はフレーム番号が奇数のフレームを間引き、偶数のフレームのみ圧縮映像データ１００２として出力する場合の例で、この場合各フレームの表示時刻はそのままで、表示時間は間引きを行ったフレームの表示時間を加算する。これにより、表示時刻と表示時間の食い違いが発生せず、正しく映像を表示できるようになる。
【００７９】
なお、図１１に示す表示時刻や表示時間の修正方法は一例で、他の方法であってもよく、要するに出力される圧縮映像データ１００２に付加される表示時刻と表示時間とに食い違いがないようになっていればよい。
【００８０】
また、ＤＶＣＰＲＯデータは、ＮＴＳＣ形式ではなく、ＰＡＬ形式であっても構わない。
【００８１】
またフレームの間引き方法は、図１１のように固定周期で間引くものでなくてもよいし、間引く割合も１／２でなくてもよい。
【００８２】
さらに、本発明の受信再生装置の全部または一部の手段の全部または一部の機能をコンピュータにより実行させるためのプログラム及び／またはデータを担持した媒体であって、コンピュータにより処理可能なことを特徴とする媒体も本発明に属する。
【００８３】
さらに、本発明の受信再生装置の全部または一部の手段の全部または一部の機能をコンピュータにより実行させるためのプログラム及び／またはデータであることを特徴とする情報集合体も本発明に属する。
【００８４】
（第３の実施の形態）
以下、本発明の第１の実施の形態におけるＰＣにおいて、フレーム間引きを行えるようにした別の例を、本発明の第３の実施の形態として、図１２を用いて説明する。
【００８５】
図１２は、ＰＣの構成の一例である。図１２において、１２０１はフレーム間引き部、１２０２は間引き後のビットマップ映像データである。
【００８６】
図５および図９と同じ番号を付したものの動作は、従来の技術および第１の実施の形態で説明したＰＣの動作と同様である。
【００８７】
フレーム間引き部１２０１は、ビデオデコーダ５０６から受け取ったビットマップ映像データ５１７のフレーム間引きを行い、ビットマップ映像データ１２０２として映像表示部５０８に出力する。その際に、ビットマップ映像データ１２０２に付加する時刻情報を変更する。
【００８８】
時刻情報の変更は、例えば第二の実施の形態と同様に、フレーム番号が奇数のフレームを間引き、偶数のフレームのみビットマップ映像データ１２０２として出力する場合には、各フレームの表示時刻はそのままで、表示時間は間引きを行ったフレームの表示時間を加算すればよい。これにより、第二の実施の形態同様、表示時刻と表示時間の食い違いが発生せず、正しく映像を表示できるようになる。
【００８９】
なお、表示時刻や表示時間の修正方法は他の方法であってもよく、要するに出力されるビットマップ映像データ１２０２に付加される表示時刻と表示時間とに食い違いがないようになっていればよい。
【００９０】
またフレームの間引き方法は、固定周期で間引くものでなくてもよいし、間引く割合も１／２でなくてもよい。
【００９１】
さらに、本発明の受信再生装置の全部または一部の手段の全部または一部の機能をコンピュータにより実行させるためのプログラム及び／またはデータを担持した媒体であって、コンピュータにより処理可能なことを特徴とする媒体も本発明に属する。
【００９２】
さらに、本発明の受信再生装置の全部または一部の手段の全部または一部の機能をコンピュータにより実行させるためのプログラム及び／またはデータであることを特徴とする情報集合体も本発明に属する。
【００９３】
【発明の効果】
以上説明したところから明らかなように、本発明は、高速で伝送される映像音声データを受信し、ＰＣ上で再生することができる受信再生装置、媒体及び情報集合体を容易に提供することができる。
【図面の簡単な説明】
【図１】ＤＶＣＰＲＯのデータを伝送するアイソクロナスパケットの構成を示す図
【図２】ＤＩＦブロックの構成を示す図
【図３】一倍速再生時のＤＶＣＰＲＯのデータ伝送時におけるアイソクロナスパケット１０１の構成およびアイソクロナスパケット１０１の伝送を表す概念図
【図４】二倍速再生時のＤＶＣＰＲＯのデータ伝送時におけるアイソクロナスパケット１０１の構成およびアイソクロナスパケット１０１の伝送を表す概念図
【図５】ＤＶＣＰＲＯからデータを受信し、画面上で再生できるＰＣの一例を表す図
【図６】音声付加情報の構成を示す図
【図７】ＤＶＣＰＲＯデータ５１３などに付加される時刻情報の一例（一倍速再生時）を示す図
【図８】ＤＶＣＰＲＯデータ５１３などに付加される時刻情報の一例（二倍速再生時）を示す図
【図９】本発明の第１の実施形態におけるＰＣの構成の一例を示す図
【図１０】本発明の第２の実施形態におけるＰＣの構成の一例を示す図
【図１１】本発明の第２の実施形態におけるフレーム間引き部１００１が出力する圧縮映像データ１００２に付加する時刻情報の一例を示す図
【図１２】本発明の第３の実施形態におけるＰＣの構成の一例を示す図
【符号の説明】
１０１  アイソクロナスパケット
１０２  アイソクロナスパケットヘッダ
１０３  ヘッダＣＲＣ
１０４  ＣＩＰヘッダ
１０５  ペイロード
１０６  データＣＲＣ
１０７  データ領域
２０１  ＤＩＦブロック
２０２  ＤＩＦデータ
２０３  ＤＩＦヘッダ
３０１  エンプティパケット
５０１  ＰＣ
５０２  ＩＥＥＥ１３９４インタフェース
５０３  フレーム成形部
５０４  音声情報取得部
５０５  スプリッタ
５０６  ビデオデコーダ
５０７  音声再生部
５０８  映像表示部
５０９  スピーカ
５１０  モニタ
５１１  ＤＶＣＰＲＯデッキ
５１２  ＩＥＥＥ１３９４バス
５１３  ＤＶＣＰＲＯデータ
５１４、５１４ａ、５１４ｂ  音声情報
５１５  ＰＣＭ音声データ
５１６  圧縮映像データ
５１７  ビットマップ映像データ
５１８  アナログ音声信号
５１９  映像信号
９０１  ＰＣ
９０２  音声情報変換部
９０３  速度情報
１００１  フレーム間引き部
１００２  圧縮映像データ
１２０１  フレーム間引き部
１２０２  ビットマップ映像データ
【図１】
2004180233.tif 000003
【図２】
2004180233.tif 000004
【図３】
2004180233.tif 000005
【図４】
2004180233.tif 000006
【図５】
2004180233.tif 000007
【図６】
2004180233.tif 000008
【図７】
2004180233.tif 000009
【図８】
2004180233.tif 000010
【図９】
2004180233.tif 000011
【図１０】
2004180233.tif 000012
【図１１】
2004180233.tif 000013
【図１２】
2004180233.tif 000014